(57)【要約】【課題】通信予約時刻に車載機と携帯端末との接続が切断されている場合でも、データのダウンロードを実行することができる車載通信装置を提供する。【解決手段】  サーバ１０のスケジュール登録指示部１０１から携帯端末１１のスケジューラ１１１にスケジュール登録指示メールが送られると、スケジューラ１１１は、通信予約時刻を含むスケジュールを登録する。その後、通信予約時刻になると、スケジューラ１１１はデータ受信部１１２に対して受信指示を行う。すると、データ受信部１１２がサーバ１０のデータ配信部１０２に配信依頼を行うことで、データ配信部１０２からデータ受信部１１２にデータが配信（ダウンロード）される。その後、車載機１２と携帯端末１１とが接続されたときに、携帯端末１１のデータ転送部１１４から車載機１２のデータ受信部１２１にデータが転送される。【選択図】図１
2010252211.tif 000002
【特許請求の範囲】
【請求項１】
車両に搭載された車載機に携帯端末を接続し、前記携帯端末の通信機能を利用して車両外部のネットワークと通信を行う車載通信装置であって、
前記携帯端末に通信予約時刻を記憶する記憶手段と、
前記通信予約時刻が到来すると、前記携帯端末において前記ネットワークからのデータをダウンロードするデータ受信手段とを備えることを特徴とする車載通信装置。
【請求項２】
前記車載機が通信機能を有しているかどうかを判断する通信機能判断手段を更に備え、
前記記憶手段は、前記通信機能判断手段により前記車載機が通信機能を有していないと判断されたときに、前記通信予約時刻を前記携帯端末に記憶することを特徴とする請求項１記載の車載通信装置。
【請求項３】
前記車載機と前記携帯端末とが接続されているかどうかを判断する接続判断手段を更に備え、
前記記憶手段は、前記接続判断手段により前記車載機と前記携帯端末とが接続されていると判断されたときに、前記通信予約時刻を予約しておき、前記接続判断手段により前記車載機と前記携帯端末との接続が切断されていると判断されたときに、前記予約した通信予約時刻を前記携帯端末に記憶することを特徴とする請求項１記載の車載通信装置。
【発明の詳細な説明】
【技術分野】
【０００１】
本発明は、車両に搭載される車載通信装置に関するものである。
【背景技術】
【０００２】
従来の車載通信装置としては、例えば特許文献１に記載されているように、車載通信機と、ダウンロードの予約時間が予め設定されたスケジューラとを備え、ダウンロードの予約時間になると、車載通信機に対してネットワークからの情報のダウンロードを行わせるようにしたものが知られている。
【先行技術文献】
【特許文献】
【０００３】
【特許文献１】特開２０００−３２６８０４号公報
【発明の概要】
【発明が解決しようとする課題】
【０００４】
ところで、車載機に通信モジュールが具備されていない場合には、携帯電話等の通信機器を車載機に接続し、携帯電話等の通信機能を利用して車両外部のサーバと通信を行うことになる。この場合、指定された通信予約時刻にサーバからのデータをダウンロードするシステムでは、通信予約時刻に車載機と携帯電話等との接続が切断されていると、データをダウンロードすることができない。
【０００５】
本発明の目的は、通信予約時刻に車載機と携帯端末との接続が切断されている場合でも、データのダウンロードを実行することができる車載通信装置を提供することである。
【課題を解決するための手段】
【０００６】
本発明は、車両に搭載された車載機に携帯端末を接続し、携帯端末の通信機能を利用して車両外部のネットワークと通信を行う車載通信装置であって、携帯端末に通信予約時刻を記憶する記憶手段と、通信予約時刻が到来すると、携帯端末においてネットワークからのデータをダウンロードするデータ受信手段とを備えることを特徴とするものである。
【０００７】
このような本発明の車載通信装置においては、携帯端末に通信予約時刻を記憶しておくことにより、通信予約時刻が到来したときに、車載機と携帯端末との接続が切断されている場合であっても、ネットワークからのデータを携帯端末にダウンロードすることができる。この場合には、その後で車載機と携帯端末とが接続された時点で、携帯端末から車載機にデータを転送することにより、ネットワークから車載機へのデータの配信が可能となる。
【０００８】
好ましくは、車載機が通信機能を有しているかどうかを判断する通信機能判断手段を更に備え、記憶手段は、通信機能判断手段により車載機が通信機能を有していないと判断されたときに、通信予約時刻を携帯端末に記憶する。車載機が通信機能を有していない場合に、車載機に携帯端末を接続し、携帯端末の通信機能を利用してネットワークと通信を行うことになるが、車載機が通信機能を有しているかどうか不明なこともあり得る。従って、車載機が通信機能を有しているかどうかを判断するのが好適である。
【０００９】
また、好ましくは、車載機と携帯端末とが接続されているかどうかを判断する接続判断手段を更に備え、記憶手段は、前記接続判断手段により車載機と携帯端末とが接続されていると判断されたときに、通信予約時刻を予約しておき、接続判断手段により車載機と携帯端末との接続が切断されていると判断されたときに、予約した通信予約時刻を携帯端末に記憶する。例えば、通常は車載機に通信予約時刻が記憶されている場合、車載機と携帯端末とが接続されているときに、通信予約時刻を予約しておくことで、その後に車載機と携帯端末との接続が切断されたとしても、通信予約時刻を携帯端末に確実に記憶することができる。
【発明の効果】
【００１０】
本発明によれば、通信予約時刻に車載機と携帯端末との接続が切断されている場合でも、データのダウンロードを実行することができる。これにより、ネットワークから車載機へのデータの配信を効率的に行うことが可能となる。
【図面の簡単な説明】
【００１１】
【図１】本発明に係わる車載通信装置の第１実施形態を備えたデータ通信システムの機能ブロックを処理シーケンスと共に示す図である。
【図２】本発明に係わる車載通信装置の第２実施形態を備えたデータ通信システムの機能ブロックを処理シーケンスと共に示す図である。
【図３】本発明に係わる車載通信装置の第３実施形態を備えたデータ通信システムの機能ブロックを処理シーケンスと共に示す図である。
【発明を実施するための形態】
【００１２】
以下、本発明に係わる車載通信装置の好適な実施形態について、図面を参照して詳細に説明する。
【００１３】
図１は、本発明に係わる車載通信装置の第１実施形態を備えたデータ通信システムの機能ブロックを処理シーケンスと共に示す図である。
【００１４】
同図において、データ通信システム１は、車両の外部に設置されたサーバ１０と、携帯電話等の携帯端末１１と、車両に搭載された車載機１２とを備えている。携帯端末１１は、車載機１２と接続されて、車両外部のネットワークを介してサーバ１０と通信を行う。携帯端末１１及び車載機１２によって車載通信装置が構成されている。
【００１５】
サーバ１０は、スケジュール登録指示部１０１と、データ配信部１０２とを有している。スケジュール登録指示部１０１は、メールにより携帯端末１１に対してデータ配信のスケジュールの登録指示通知を行う。スケジュールには、データ配信の予約時刻（通信予約時刻）が含まれている。データ配信部１０２は、通信予約時刻になると、携帯端末１１に対してデータの配信（ダウンロード）を行う。
【００１６】
携帯端末１１は、スケジューラ１１１と、データ受信部１１２と、データ格納部１１３と、データ転送部１１４とを有している。スケジューラ１１１は、サーバ１０のスケジュール登録指示部１０１により通知されたスケジュールの受信及び登録、通信予約時刻までの待機を行う。データ受信部１１２は、サーバ１０のデータ配信部１０２により配信されるデータを受信する。データ格納部１１３は、データ受信部１１２で受信したデータをメモリに格納する。データ転送部１１４は、次回の車載機１２との接続時に、メモリに格納されたデータを車載機１２に転送する。
【００１７】
車載機１２は、接続判定部１２２と、データ受信部１２１とを有している。接続判定部１２２は、携帯端末１１との接続判定を行う。データ受信部１２１は、携帯端末１１のデータ転送部１１４により転送されたデータを受信する。
【００１８】
次に、そのようなデータ通信システム１の処理シーケンスについて説明する。なお、車載機１２と携帯端末１１とは最初接続されていないものとする。
【００１９】
まず、サーバ１０のスケジュール登録指示部１０１から携帯端末１１のスケジューラ１１１にスケジュール登録指示メールが送られる。すると、スケジューラ１１１は、そのスケジュールを登録し、スケジュール登録指示部１０１にスケジュール登録完了通知を送り、待機状態となる。
【００２０】
その後、通信予約時刻になると、スケジューラ１１１はデータ受信部１１２に対して受信指示を行う。すると、データ受信部１１２がサーバ１０のデータ配信部１０２に配信依頼を行うことで、データ配信部１０２からデータ受信部１１２にデータが配信（ダウンロード）される。続いて、データ受信部１１２がデータ格納部１１３に対して格納指示を行うことで、データ格納部１１３は、サーバ１０から配信されたデータをメモリに格納する。
【００２１】
その後、車載機１２と携帯端末１１とが接続されると、車載機１２の接続判定部１２２は、接続判定を行い、データ受信部１２１に対して接続通知を行う。すると、データ受信部１２１は、携帯端末１１のデータ転送部１１４に対して格納データ確認要求を行う。データ転送部１１４は、その格納データ確認要求を受けると、データ格納部１１３によりメモリにデータが格納されているかどうかの確認を行い、メモリにデータが格納されているときは、その旨をデータ受信部１２１に通知する。すると、データ受信部１２１は、データ転送部１１４に対してデータ転送依頼を行う。データ転送部１１４は、そのデータ転送依頼を受けると、データ格納部１１３によりメモリに格納されたデータを取得し、そのデータをデータ受信部１２１に転送する。
【００２２】
以上において、スケジューラ１１１は、携帯端末１１に通信予約時刻を記憶する記憶手段を構成する。データ受信部１１２は、通信予約時刻が到来すると、携帯端末１１においてネットワーク（サーバ１０）からのデータをダウンロードするデータ受信手段を構成する。
【００２３】
以上のように本実施形態にあっては、携帯端末１１のスケジューラ１１１は、サーバ１０からのスケジュール登録指示によって通信予約時刻を含むスケジュールを予め登録しておく。このため、その後に通信予約時刻が到来したときに、車載機１２と携帯端末１１との接続が切断されている場合であっても、サーバ１０のデータを携帯端末１１にダウンロードすることができる。従って、車載機１２においては、通信予約時刻まで待機する処理が必要なくなるため、電力消費を抑えることが可能となる。
【００２４】
図２は、本発明に係わる車載通信装置の第２実施形態を備えたデータ通信システムの機能ブロックを処理シーケンスと共に示す図である。図中、第１実施形態と同一または同等の要素には同じ符号を付し、その説明を省略する。
【００２５】
同図において、サーバ１０は、第１実施形態と同様に、スケジュール登録指示部１０１及びデータ配信部１０２を有している。スケジュール登録指示部１０１は、車載機１２に対してデータ配信のスケジュールの登録指示通知を行う。データ配信部１０２は、通信予約時刻になると、携帯端末１１に対してデータの配信を行う。
【００２６】
携帯端末１１は、第１実施形態と同様に、スケジューラ１１１、データ受信部１１２、データ格納部１１３及びデータ転送部１１４を有している。これら各部の機能は、第１実施形態と同じである。
【００２７】
車載機１２は、接続判定部１２２と、データ受信部１２１と、通信モジュール搭載判定部１２３と、スケジューラ１２４とを有している。接続判定部１２２及びデータ受信部１２１の機能は、第１実施形態と同じである。通信モジュール搭載判定部１２３は、車載機１２に通信モジュールが搭載されているか否かの判定を行う。
【００２８】
スケジューラ１２４は、通信モジュール搭載判定部１２３により車載機１２に通信モジュールが搭載されていないと判定されたときに、サーバ１０のスケジュール登録指示部１０１により通知されたスケジュールを携帯端末１１のスケジューラ１１１に転送し、通信モジュール搭載判定部１２３により車載機１２に通信モジュールが搭載されていると判定されたときは、当該スケジュールの登録及び待機を行う。
【００２９】
次に、そのようなデータ通信システム１の処理シーケンスについて説明する。なお、車載機１２と携帯端末１１とは最初から接続されているものとする。
【００３０】
まず、サーバ１０のスケジュール登録指示部１０１により車載機１２のスケジューラ１２４に対してスケジュール登録指示が行われる。すると、スケジューラ１２４は、通信モジュール搭載判定部１２３により車載機１２に通信モジュールが搭載されているかどうかを確認し、車載機１２に通信モジュールが搭載されていないことが確認されたときは、携帯端末１１のスケジューラ１１１に対してスケジュール登録指示の転送を行う。
【００３１】
スケジューラ１１１は、スケジュール登録指示を受けると、そのスケジュールを登録し、スケジューラ１２４を介してスケジュール登録指示部１０１にスケジュール登録完了通知を送り、待機状態となる。
【００３２】
その後、車載機１２と携帯端末１１との接続が切断されてから、通信予約時刻になると、第１実施形態と同様の手順で処理が実行される。これにより、第１実施形態と同様に、車載機１２と携帯端末１１との接続が切断されている場合であっても、通信予約時刻の到来時にサーバ１０のデータを携帯端末１１にダウンロードすることができる。
【００３３】
図３は、本発明に係わる車載通信装置の第３実施形態を備えたデータ通信システムの機能ブロックを処理シーケンスと共に示す図である。図中、第１及び第２実施形態と同一または同等の要素には同じ符号を付し、その説明を省略する。
【００３４】
同図において、サーバ１０は、第２実施形態と同様に、スケジュール登録指示部１０１及びデータ配信部１０２を有している。これらの機能は、第２実施形態と同じである。
【００３５】
携帯端末１１は、上記のスケジューラ１１１、データ受信部１１２、データ格納部１１３及びデータ転送部１１４に加え、接続判定部１１５を有している。接続判定部１１５は、車載機１２との接続判定を行う。スケジューラ１１１は、車載機１２のスケジューラ１２４からのスケジュール予約メッセージ（後述）を受け取った後、接続判定部１１５により車載機１２との接続が切断されたと判定されたときに、その予約されたスケジュールの登録を行う。データ受信部１１２、データ格納部１１３及びデータ転送部１１４の機能は、第１及び第２実施形態と同じである。
【００３６】
車載機１２は、接続判定部１２２、データ受信部１２１及びスケジューラ１２４を有している。接続判定部１２２及びデータ受信部１２１の機能は、第１及び第２実施形態と同じである。
【００３７】
スケジューラ１２４は、サーバ１０のスケジュール登録指示部１０１により通知されたスケジュールを、携帯端末１１のスケジューラ１１１にスケジュール予約メッセージにより予約通知すると共に、接続判定部１２２により携帯端末１１との接続が行われていると判定されたときに、当該スケジュールの登録及び待機を行う。
【００３８】
次に、そのようなデータ通信システム１の処理シーケンスについて説明する。なお、車載機１２と携帯端末１１とは最初から接続されているものとする。
【００３９】
まず、サーバ１０のスケジュール登録指示部１０１により車載機１２のスケジューラ１２４に対してスケジュール登録指示が行われる。すると、スケジューラ１２４は、携帯端末１１のスケジューラ１１１に対してスケジュール登録予約通知を行う。スケジューラ１１１は、スケジュール登録指示通知を受けると、そのスケジュールを予約する。また、スケジューラ１２４は、当該スケジュールを登録し、スケジュール登録指示部１０１にスケジュール登録完了通知を送り、待機状態となる。
【００４０】
その後、車載機１２と携帯端末１１との接続が切断されると、携帯端末１１の接続判定部１１５は、接続判定を行い、スケジューラ１１１に対して接続切断通知を行う。すると、スケジューラ１１１は、予約したスケジュールを登録し、待機状態となる。また、車載機１２の接続判定部１２２は、接続判定を行い、スケジューラ１２４に対して接続切断通知を行う。すると、スケジューラ１２４は、待機状態を解除する。
【００４１】
その後、通信予約時刻になると、第１実施形態と同様の手順で処理が実行される。これにより、第１実施形態と同様に、車載機１２と携帯端末１１との接続が切断されている場合であっても、通信予約時刻の到来時にサーバ１０のデータを携帯端末１１にダウンロードすることができる。
【符号の説明】
【００４２】
１…データ通信システム（車載通信装置）、１０…サーバ（ネットワーク）、１１…携帯端末、１２…車載機、１１１…スケジューラ（記憶手段）、１１２…データ受信部（データ受信手段）、１１５…接続判定部（接続判断手段）、１２３…通信モジュール搭載判定部（通信機能判断手段）、１２４…スケジューラ（記憶手段）。
【図１】
2010252211.tif 000003
【図２】
2010252211.tif 000004
【図３】
2010252211.tif 000005